(57)【要約】【課題】キャッシュアウトによる決済を利用しやすくすることができる決済システム、決済方法および決済プログラムを提供することができる。【解決手段】上記決済システム１では、携帯端末２と、決済端末３とを有している。携帯端末２は、チャージ部２ｂにより第１のチャージ金額情報２ａ１へキャッシュアウト可能金額を事前にチャージしておく。決済端末３は、購入決済時の請求額５ｂを取得すると、チャージ金額情報問合せ部３ｂで第１のチャージ金額情報２ａ１を待ち受ける。携帯端末２は、決済端末３にかざされることにより、決済端末３と近距離無線通信で接続し、チャージ金額情報問合せを受信すると、第１のチャージ金額情報２ａ１を送信する。決済端末３は、受信した第１のチャージ金額情報２ａ１に含まれるキャッシュアウト可能金額から請求額５ｂを減算し、残額を携帯端末２へ送る。【選択図】図１
2020154539.tif 000002
【特許請求の範囲】
【請求項１】
キャッシュアウト可能金額を含む第１のチャージ金額情報を保持する記憶部と、
チャージ金額を前記キャッシュアウト可能金額に加算するチャージ部と、
を有する携帯端末と、
キャッシュアウトによる決済の際に、前記キャッシュアウト可能金額の残額を現金でキャッシュアウトさせるキャッシュアウト制御部と、
を有する決済端末と、
を有する決済システム。
【請求項２】
前記携帯端末は、チャージ金額情報問合せを受けた際に、前記第１のチャージ金額を送信するチャージ金額情報送信部を有し、
前記決済端末は、決済対象品の金額を合計した請求額を取得する請求額取得部と、前記チャージ金額情報送信部に、チャージ金額情報問合せを送信し、前記第１のチャージ金額情報を受信するチャージ金額情報問合せ部を有し、
前記キャッシュアウト制御部は、キャッシュアウトによる決済の際に、前記チャージ金額情報問合せ部から参照した前記キャッシュアウト可能金額より、前記請求額取得部から参照した前記請求額を減算した金額を前記残額とすることを特徴とする請求項１記載の決済システム。
【請求項３】
前記キャッシュアウト制御部は、キャッシュアウトの際に、前記残額を前記キャッシュアウト可能金額として含む第２のチャージ金額情報として更新し、
前記決済端末は、前記キャッシュアウト制御部から参照した前記第２のチャージ金額情報を、前記更新チャージ金額情報受信部に送信する更新チャージ金額情報送信部を有し、
前記携帯端末は、前記第２のチャージ金額情報を、前記更新チャージ金額情報送信部から受信すると、前記記憶部の前記第１のチャージ金額情報を、前記第２のチャージ金額情報で更新する更新チャージ金額情報受信部を有し、
前記キャッシュアウト制御部は、前記更新チャージ金額情報受信部の更新後に、キャッシュアウトを行うことを特徴とする請求項２記載の決済システム。
【請求項４】
前記決済端末は、キャッシュアウトによる出金に対応した現金出金部を有し、
前記キャッシュアウト制御部は、キャッシュアウト時に、前記残額を、前記現金出金部より現金で出金させることを特徴とする請求項３記載の決済システム。
【請求項５】
前記キャッシュアウト制御部が、前記キャッシュアウト可能金額の入力を受付け、キャッシュアウト可能金額の一部をキャッシュアウトの対象とできることを特徴とする請求項１記載の決済システム。
【請求項６】
キャッシュアウト可能金額を含む第１のチャージ金額情報を保持し、
チャージ金額を前記キャッシュアウト可能金額に加算する携帯端末と、
キャッシュアウトによる決済の際に、前記キャッシュアウト可能金額の残額を現金でキャッシュアウトさせる決済端末とで、決済する決済方法。
【請求項７】
キャッシュアウト可能金額を含む第１のチャージ金額情報を保持し、
チャージ金額を前記キャッシュアウト可能金額に加算する携帯端末と、
キャッシュアウトによる決済の際に、前記キャッシュアウト可能金額の残額を現金でキャッシュアウトさせる決済プログラム。
【発明の詳細な説明】
【技術分野】
【０００１】
本発明は、店舗における決済と、キャッシュアウトとを効率よく行うことができる決済システム、決済方法および決済プログラムに関する。
【背景技術】
【０００２】
従来、利用者が店舗で商品を購入する場合には、現金による決済が行われていた。現金による決済では、商品を購入する際に、利用者が事前に現金自動預払機（ＡＴＭ；Automatic Teller Machine）等により現金を引出し、店舗のレジにおいて現金で決済を行う。商品を購入するためには、決済の前にいずれかの方法で現金を入手する手間が必要であった。
【０００３】
近年このような手間を軽減するために、店舗のレジで現金の引出しを可能にするキャッシュアウトと呼ばれる決済方法が知られている（例えば、特許文献１）。キャッシュアウトによる決済では、商品を購入する際に、利用者がレジでキャッシュアウト対応のキャッシュカードを提示し、暗証番号を入力することで店舗のレジで現金を出金する。利用者は、出金された現金で決済を行う。ただし、キャッシュアウトによる決済を受付けるレジは、キャッシュアウトによる決済に対応している必要がある。
【０００４】
一方で、電子マネーと呼ばれる決済方法が広く普及している。電子マネーによる決済では、商品を購入する際に、利用者が事前にスマートフォン等の携帯端末からネットワーク経由で操作をし、利用者が契約している銀行口座等から金額をチャージする。店舗のレジでは、金額がチャージされた携帯端末を、決済端末に接続されたＲＦＩＤ（Radio Frequency Identifier）リーダにかざすことで決済に使用することができる。決済後は、チャージされた金額から、決済された金額が減額され、チャージされた金額以上を使用することはできない。ただし、電子マネーを受付けるレジは、電子マネーによる決済に対応している必要がある。また、電子マネーのチャージを現金として出金することは通常できない。
【先行技術文献】
【特許文献】
【０００５】
【特許文献１】特開２０１８−２８８７１号公報
【発明の概要】
【発明が解決しようとする課題】
【０００６】
しかし、事業者側からは、キャッシュアウト対応のレジは、新たな導入にコストがかかるため、現状普及しておらず、利用者のキャッシュアウトによる決済を難しくしていた。また、キャッシュアウトによる決済は、レジで利用者が暗証番号を入力した後、銀行サーバとの通信処理の時間が必要で、レジの順番待ちの時間をより長くしてしまうため、現状は、サービスカウンタのレジで現金出金用として運用されているに過ぎないという問題がある。
【０００７】
一方で、利用者側からは、電子マネーによる決済では、現金を出金することができないため、レジでの決済後に、現金が必要な場合には、さらにＡＴＭで出金する手間が発生していた。
【０００８】
本発明は、このような点に鑑みてなされたものであり、低コストでキャッシュアウトによる決済を利用しやすくすることができる決済システム、決済方法および決済プログラムを提供することを目的とする。
【課題を解決するための手段】
【０００９】
本発明の一観点によれば、チャージ金額の入力を受付け、ネットワークを介して銀行口座からの電子マネーのチャージに対応した携帯端末と、電子マネーによる決済に対応した決済端末とを含む決済システムにおいて、キャッシュアウト可能金額を含む第１のチャージ金額情報を保持する記憶部と、チャージ金額をキャッシュアウト可能金額に加算するチャージ部とを有し、決済端末は、キャッシュアウトによる決済の際に、キャッシュアウト可能金額の残額を現金でキャッシュアウトさせるキャッシュアウト制御部を有する。
【００１０】
また、本発明の一観点によれば、キャッシュアウト可能金額を含む第１のチャージ金額情報を保持し、チャージ金額をキャッシュアウト可能金額に加算する携帯端末と、キャッシュアウトによる決済の際に、キャッシュアウト可能金額の残額を現金でキャッシュアウトさせる決済端末とで、決済する決済方法を提供する。
【００１１】
また、本発明の一観点によれば、キャッシュアウト可能金額を含む第１のチャージ金額情報を保持し、チャージ金額をキャッシュアウト可能金額に加算する携帯端末と、キャッシュアウトによる決済の際に、キャッシュアウト可能金額の残額を現金でキャッシュアウトさせる決済プログラムを提供する。
【発明の効果】
【００１２】
開示の技術によれば、キャッシュアウトによる決済を利用しやすくすることができる決済システム、決済方法および決済プログラムを提供し、サービス向上を図ることができる。
【図面の簡単な説明】
【００１３】
【図１】第１の実施の形態の決済システムを説明するための図である。
【図２】第２の実施の形態の事前キャッシュアウトシステムの一例を示す図である。
【図３】第２の実施の形態のスマートフォンのハードウェア構成例を示す図である。
【図４】第２の実施の形態のＰＯＳ端末のハードウェア構成例を示す図である。
【図５】第２の実施の形態の銀行サーバのハードウェア構成例を示す図である。
【図６】第２の実施の形態の事前キャッシュアウトシステムで実行されるメイン処理のシーケンス図である。
【図７】第２の実施の形態の事前キャッシュアウトシステムで実行されるチャージ処理のフローチャートである。
【図８】第２の実施の形態のスマートフォンに表示される画面例であり、（Ａ）は、メイン画面であり、（Ｂ）は、チャージ金額入力画面である。
【図９】第２の実施の形態のスマートフォンに表示される画面例であり、（Ａ）は、チャージ成功画面であり、（Ｂ）は、チャージ失敗画面である。
【図１０】第２の実施の形態の事前キャッシュアウトシステムで実行されるキャッシュアウト処理のフローチャートである。
【図１１】第２の実施の形態のスマートフォンに表示される画面例であり、（Ａ）は、キャッシュアウトメニュー画面であり、（Ｂ）は、キャッシュアウト金額入力画面である。
【図１２】第２の実施の形態のスマートフォンに表示される画面例であり、（Ａ）は、キャッシュアウト成功画面であり、（Ｂ）は、キャッシュアウト失敗画面である。
【発明を実施するための形態】
【００１４】
以下、図面を参照して、実施の形態を詳細に説明する。
［第１の実施の形態］
まず、第１の実施の形態の決済システムについて、図１を用いて説明する。図１は、第１の実施の形態の決済システムを説明するための図である。
【００１５】
決済システム１は、携帯端末２と、決済端末３とを含む。携帯端末２は、キャッシュアウト時に決済端末３と、近距離無線通信で接続される。このような決済システム１は、事前に携帯端末２がチャージ金額をチャージされ、チャージ金額に対して、決済端末３との間で、決済とキャッシュアウトによる出金とを受付けるものである。また、決済システム１は、飲食店、小売店等の店舗で利用される。
【００１６】
携帯端末２は、事前にキャッシュアウトの対象となる金額を、広域ネットワーク経由のチャージに使用されるキャッシュアウト用のアプリケーションがインストールされている。また、携帯端末２は、記憶部２ａと、チャージ部２ｂと、チャージ金額情報送信部２ｃと、更新チャージ金額情報受信部２ｄとを有する。
【００１７】
記憶部２ａは、キャッシュアウト可能金額を含む第１のチャージ金額情報２ａ１を保持する。第１のチャージ金額情報２ａ１とは、チャージされることにより設定されるキャッシュアウト可能金額と、通常の電子マネーのチャージ金額とを含む。
【００１８】
チャージ部２ｂは、記憶部２ａから参照したキャッシュアウト可能金額を、チャージ金額５ａを加算して更新する。チャージ金額情報送信部２ｃは、チャージ金額情報問合せを受けた際に、第１のチャージ金額２ａ１を送信する。更新チャージ金額情報受信部２ｄは、キャッシュアウト後の残額を含む第２のチャージ金額情報を、決済端末３から近距離無線通信で受信する。
【００１９】
更新チャージ金額情報受信部２ｄは、キャッシュアウト後の残額を含む第２のチャージ金額情報を、更新チャージ金額情報送信部３ｄから受信すると、記憶部２ａの第１のチャージ金額情報２ａ１を、第２のチャージ金額情報で更新する。
【００２０】
決済端末３は、携帯端末２による決済を受付け、キャッシュアウトによる現金の出金を行う。また、決済端末３は、請求額取得部３ａと、チャージ金額情報問合せ部３ｂと、現金出金部３ｃと、更新チャージ金額情報送信部３ｄと、キャッシュアウト制御部３ｅとを有する。
【００２１】
請求額取得部３ａは、決済対象品の金額を合計した請求額を取得する。チャージ金額情報問合せ部３ｂは、チャージ金額情報送信部２ｃへ、チャージ金額情報の問合せであるチャージ金額情報要求を送信し、第１のチャージ金額情報２ａ１を受信する。
【００２２】
現金出金部３ｃは、キャッシュアウトによる出金に対応し、現金５ｃを出金する。更新チャージ金額情報送信部３ｄは、キャッシュアウト制御部３ｅから参照した第２のチャージ金額情報を、更新チャージ金額情報受信部２ｄに送信する。
【００２３】
キャッシュアウト制御部３ｅは、キャッシュアウトによる決済の際に、チャージ金額情報問合せ部３ｂから参照したキャッシュアウト可能金額より、請求額取得部３ａから参照した請求額を減算した残額を算出する。
【００２４】
また、キャッシュアウト制御部３ｅは、キャッシュアウトによる決済の際に、キャッシュアウト可能金額で決済後に、残額を現金出金部３ｃより現金で出金させる。
なお、キャッシュアウト制御部３ｅは、更新チャージ金額情報受信部２ｄの更新後に、キャッシュアウトを行う態様であってもよい。また、キャッシュアウト制御部３ｅが、キャッシュアウト可能金額の入力を受付け、キャッシュアウト可能金額の一部をキャッシュアウトの対象とできる態様であってもよい。
【００２５】
次に、このような決済システム１による決済の流れについて説明する。なお、以下では、店舗による決済を例に挙げて説明する。
まず、決済の事前に、携帯端末２のチャージ部２ｂは、チャージ金額５ａの入力を受付けて、ネットワーク経由で銀行口座よりチャージ金額５ａを出金する。また、チャージ部２ｂは、記憶部２ａから参照したキャッシュアウト可能金額と、チャージ金額５ａとを加算した金額で、キャッシュアウト可能金額を更新する。
【００２６】
決済端末３の請求額取得部３ａは、決済対象となる購入品の合計金額を請求額５ｂとして取得する。合計金額については、決済端末３の標準の機能で、事前に購入品のスキャンが完了されているものとする。
【００２７】
キャッシュアウト制御部３ｅは、キャッシュアウトによる決済の際に、チャージ金額情報問合せ部３ｂから取得した第１のチャージ金額情報２ａ１に含まれるキャッシュアウト可能金額より、請求額取得部３ａから参照した請求額５ｂを減算し残額を取得する。
【００２８】
キャッシュアウト制御部３ｅは、キャッシュアウト後のキャッシュアウト可能金額を含む第２のチャージ金額情報を、更新チャージ金額情報送信部３ｄから更新チャージ金額情報受信部２ｄへ送信させる。更新チャージ金額情報受信部２ｄは、第２のチャージ金額情報を受信した際に、第２のチャージ金額情報で、記憶部２ａの第１のチャージ金額情報２ａ１を更新する。
【００２９】
最後に、キャッシュアウト制御部３ｅは、残額を現金５ｃとして現金出金部３ｃにキャッシュアウトさせ、決済を完了する。
上記決済システム１では、携帯端末２と、決済端末３とを有している。携帯端末２は、チャージ部２ｂにより第１のチャージ金額情報２ａ１へキャッシュアウト可能金額を事前にチャージしておく。決済端末３は、購入決済時の請求額５ｂを取得すると、チャージ金額情報問合せ部３ｂで第１のチャージ金額情報２ａ１を待ち受ける。
【００３０】
携帯端末２は、決済端末３にかざされることにより、決済端末３と近距離無線通信で接続し、チャージ金額情報問合せを受信すると、第１のチャージ金額情報２ａ１を送信する。決済端末３は、受信した第１のチャージ金額情報２ａ１に含まれるキャッシュアウト可能金額から請求額５ｂを減算し、残額を携帯端末２へ送る。また、決済端末３は、残額を現金５ｃとしてキャッシュアウトし、決済を完了する。
【００３１】
これにより、事業者側からは、例えば電子マネー決済対応の決済端末３を改修することで、低コストでキャッシュアウトによる決済を導入することができるようになる。また、利用者側からは、事前に携帯端末２でキャッシュアウト可能金額をチャージしておくことにより、決済端末３で迅速にキャッシュアウトを利用することができる。さらに、キャッシュアウトによる決済を利用しやすくすることができる。
【００３２】
［第２の実施の形態］
第２の実施の形態では、第１の実施の形態について店舗で用いられる場合をより具体的に説明する。まず、第２の実施の形態の事前キャッシュアウトシステムについて、図２を用いて説明する。図２は、第２の実施の形態の事前キャッシュアウトシステムの一例を示す図である。
【００３３】
第２の実施の形態の事前キャッシュアウトシステム１０は、スマートフォン２０と、ＲＦＩＤリーダ３４を有するＰＯＳ（Point Of Sale）端末３０と、銀行サーバ４０と、ネットワーク７１とを含む。スマートフォン２０と、銀行サーバ４０との間はネットワーク７１で接続されている。スマートフォン２０と、ＰＯＳ端末３０との間は、キャッシュアウト時に、ＲＦＩＤリーダ３４を介した近距離無線通信で接続される。
【００３４】
スマートフォン２０は、ネットワークを経由した銀行口座からのキャッシュアウト可能金額のチャージと、ＰＯＳ端末３０において、ＲＦＩＤリーダ３４にかざされることにより実行されるキャッシュアウトとに利用される。また、スマートフォン２０は、チャージとキャッシュアウトとに対応したアプリケーションがインストールされている。このようなスマートフォン２０は、第１の実施の形態の携帯端末２の機能の一部を含む。
【００３５】
ＰＯＳ端末３０は、店舗等のレジに設置され、従業員により操作されて、顧客の購入品に対する決済を行う。また、ＰＯＳ端末３０は、スマートフォン２０とキャッシュアウトによる決済についての近距離無線通信を行う。このようなＰＯＳ端末３０は、第１の実施の形態の決済端末３の機能の一部を含む。
【００３６】
なお、ＰＯＳ端末３０とスマートフォン２０との間の通信は、近距離無線通信に限らず、二次元バーコードとバーコードリーダとによる光学的な通信等で実現されてもよい。
銀行サーバ４０は、ネットワーク７１を介してスマートフォン２０から、銀行口座からの金額のチャージに関する通信を受付け、銀行口座に関する出金処理を行う。また、銀行サーバ４０は、銀行等に設置され、事前キャッシュアウトシステム１０においては、チャージ時にのみスマートフォン２０と通信を行い、キャッシュアウト時には、スマートフォン２０と、ＰＯＳ端末３０とは通信を行わない。
【００３７】
このような事前キャッシュアウトシステム１０においては、キャッシュアウトによる決済の事前に、スマートフォン２０が、ネットワーク７１を介して、銀行サーバ４０にアクセスし、所定の手続き後に、キャッシュアウト可能金額がチャージされる。
【００３８】
キャッシュアウトによる決済が利用される際は、ＰＯＳ端末３０において、ＲＦＩＤリーダ３４にスマートフォン２０をかざされ、近距離無線通信により、キャッシュアウト可能金額から請求額が減算され、残額が現金でキャッシュアウトされて決済が完了する。
【００３９】
次に、スマートフォン２０のハードウェア構成例について、図３を用いて説明する。図３は、第２の実施の形態のスマートフォンのハードウェア構成例を示す図である。
図３に示すようなスマートフォン２０は、制御部２１、ディスプレイ２２、タッチパネル２３を備える。
【００４０】
制御部２１は、ＣＰＵ（Central Processing Unit）２１ａによって装置全体が制御されている。ＣＰＵ２１ａには、バス２１ｇを介してＲＡＭ（Random Access Memory）２１ｂと複数の周辺機器とが接続されている。ＲＡＭ２１ｂは、制御部２１の主記憶装置として使用される。ＲＡＭ２１ｂには、ＣＰＵ２１ａに実行させるＯＳのプログラムや制御用のアプリケーションプログラムが格納される。また、ＲＡＭ２１ｂには、ＣＰＵ２１ａによる処理に必要な各種データが格納される。
【００４１】
処理に必要な各種データは、銀行口座からのチャージに使用されるアプリケーションと、チャージ後のチャージ金額とである。
バス２１ｇに接続されている周辺機器としては、メモリカード２１ｃ、通信インタフェース２１ｄ、グラフィック制御部２１ｅ、入出力インタフェース２１ｆがある。メモリカード２１ｃは、制御部２１の補助記憶装置として使用される。メモリカード２１ｃには、ＯＳプログラム、アプリケーションプログラムが格納される。また、メモリカード２１ｃには、ＣＰＵ２１ａによる処理に必要な各種データが格納される。
【００４２】
グラフィック制御部２１ｅには、ディスプレイ２２が接続されている。グラフィック制御部２１ｅは、ＣＰＵ２１ａからの命令に従って処理中の画像をディスプレイ２２に表示させる。入出力インタフェース２１ｆには、タッチパネル２３が接続されている。入出力インタフェース２１ｆは、タッチパネル２３から送られてくる信号を、バス２１ｇを介してＣＰＵ２１ａに送信する。
【００４３】
通信インタフェース２１ｄは、ネットワーク７１に接続されており、銀行サーバ４０とデータの送受信を行う。ＲＦＩＤ２１ｈは、キャッシュアウトの利用の際に、ＰＯＳ端末３０との通信を行う。
【００４４】
以上のようなハードウェア構成によって、本実施の形態のスマートフォン２０の処理機能を実現することができる。
次に、ＰＯＳ端末３０のハードウェア構成例について、図４を用いて説明する。図４は、第２の実施の形態のＰＯＳ端末のハードウェア構成例を示す図である。
【００４５】
図４に示すようなＰＯＳ端末３０は、制御部３１、ディスプレイ３２、キーボード３３、ＲＦＩＤリーダ３４、ドロア３５、自動釣銭機３６およびレシートプリンタ３７を備える。
【００４６】
制御部３１は、ＣＰＵ３１ａによって装置全体が制御されている。ＣＰＵ３１ａには、バス３１ｇを介してＲＡＭ３１ｂと複数の周辺機器とが接続されている。ＲＡＭ３１ｂは、制御部３１の主記憶装置として使用される。ＲＡＭ３１ｂには、ＣＰＵ３１ａに実行させるＯＳのプログラムや制御用のアプリケーションプログラムが格納される。また、ＲＡＭ３１ｂには、ＣＰＵ３１ａによる処理に必要な各種データが格納される。処理に必要な各種データは、キャッシュアウトによる決済処理に必要なアプリケーションであり、決済の際の請求額の合計を取得する機能と、スマートフォン２０からチャージ金額を取得する機能等とを含む。
【００４７】
バス３１ｇに接続されている周辺機器としては、ＨＤＤ（Hard Disk Drive）３１ｃ、通信インタフェース３１ｄ、グラフィック制御部３１ｅ、入出力インタフェース３１ｆがある。ＨＤＤ３１ｃは、制御部３１の補助記憶装置として使用される。ＨＤＤ３１ｃには、ＯＳプログラム、アプリケーションプログラムが格納される。また、ＨＤＤ３１ｃには、ＣＰＵ３１ａによる処理に必要な各種データが格納される。
【００４８】
グラフィック制御部３１ｅには、ディスプレイ３２が接続されている。グラフィック制御部３１ｅは、ＣＰＵ３１ａからの命令に従って処理中の画像をディスプレイ３２に表示させる。入出力インタフェース３１ｆには、キーボード３３が接続されている。入出力インタフェース３１ｆは、キーボード３３から送られてくる信号を、バス３１ｇを介してＣＰＵ３１ａに送信する。
【００４９】
通信インタフェース３１ｄは、図示しない店舗内のネットワークに接続されており、データの送受信を行う。ＲＦＩＤリーダ３４は、スマートフォン２０がかざされた際に、ＲＦＩＤ２１ｈと、キャッシュアウトに関する近距離無線通信を行う。
【００５０】
ドロア３５は、本体内部に貨幣、紙幣の現金等を保持し、必要に応じて、取り出し可能に引き出される。自動釣銭機３６は、キャッシュアウトの際に現金を出金する。レシートプリンタ３７は、決済後に決済金額と、キャッシュアウト金額とをレシートに印刷し出力する。
【００５１】
以上のようなハードウェア構成によって、本実施の形態のＰＯＳ端末３０の処理機能を実現することができる。
次に、銀行サーバ４０のハードウェア構成例について、図５を用いて説明する。図５は、第２の実施の形態の銀行サーバのハードウェア構成例を示す図である。図５に示すような銀行サーバ４０は、制御部４１、ディスプレイ４２、キーボード４３を備える。
【００５２】
制御部４１は、ＣＰＵ４１ａによって装置全体が制御されている。ＣＰＵ４１ａには、バス４１ｇを介してＲＡＭ４１ｂと複数の周辺機器とが接続されている。ＲＡＭ４１ｂは、制御部４１の主記憶装置として使用される。ＲＡＭ４１ｂには、ＣＰＵ４１ａに実行させるＯＳのプログラムや制御用のアプリケーションプログラムが格納される。また、ＲＡＭ４１ｂには、ＣＰＵ４１ａによる処理に必要な各種データが格納される。
【００５３】
処理に必要な各種データとは、オンラインでスマートフォン２０から接続された際に、銀行口座から出金を受付けるのに必要な情報であるが、本発明とは関係が薄い為に、ここでは省略する。
【００５４】
バス４１ｇに接続されている周辺機器としては、ＨＤＤ４１ｃ、通信インタフェース４１ｄ、グラフィック制御部４１ｅ、入出力インタフェース４１ｆがある。ＨＤＤ４１ｃは、制御部４１の補助記憶装置として使用される。ＨＤＤ４１ｃには、ＯＳプログラム、アプリケーションプログラムが格納される。また、ＨＤＤ４１ｃには、ＣＰＵ４１ａによる処理に必要な各種データが格納される。
【００５５】
グラフィック制御部４１ｅには、ディスプレイ４２が接続されている。グラフィック制御部４１ｅは、ＣＰＵ４１ａからの命令に従って処理中の画像をディスプレイ４２に表示させる。入出力インタフェース４１ｆには、キーボード４３が接続されている。入出力インタフェース４１ｆは、キーボード４３から送られてくる信号を、バス４１ｇを介してＣＰＵ４１ａに送信する。
【００５６】
通信インタフェース４１ｄは、ネットワーク７１に接続されており、スマートフォン２０との間でデータの送受信を行う。
以上のようなハードウェア構成によって、本実施の形態の銀行サーバ４０の処理機能を実現することができる。
【００５７】
次に、上記構成を有する事前キャッシュアウトシステム１０で実行されるメイン処理について図６を用いて説明する。図６は、第２の実施の形態の事前キャッシュアウトシステムで実行されるメイン処理のシーケンス図である。
【００５８】
メイン処理は、事前キャッシュアウトシステム１０の全体の処理の流れをまとめたものであり、チャージ処理と、キャッシュアウト処理とを含む。メイン処理の開始時点は、キャッシュアウトの利用を希望する利用者より、所持するスマートフォン２０がチャージ処理をされようとしている状況である。
【００５９】
［ステップＳ０１］スマートフォン２０の制御部２１は、チャージ処理をされる。チャージ処理とは、スマートフォン２０の制御部２１が、ネットワーク７１を介して銀行サーバ４０と接続し、銀行口座からチャージ金額をチャージされる処理である。チャージ処理の詳細は後述する。
【００６０】
［ステップＳ０２］ＰＯＳ端末３０の制御部３１は、利用者の購入品の合計である請求額を取得する。また、ＰＯＳ端末３０の制御部３１は、ディスプレイ３２に合計の請求額と決済方法の選択ボタンとを含む図示しない選択画面を表示させる。
【００６１】
［ステップＳ０３］ＰＯＳ端末３０の制御部３１は、キーボード３３から選択画面の決済方法でキャッシュアウトを選択されて、キャッシュアウトによる決済処理を行う。
［ステップＳ０４］ＰＯＳ端末３０の制御部３１は、ＲＦＩＤリーダ３４を介して、スマートフォン２０にチャージ金額の問合せを送信する。チャージ金額は、キャッシュアウト可能金額を含み、通常の電子マネーによるチャージ金額を含んでもよい。
【００６２】
［ステップＳ０５］スマートフォン３０の制御部３１は、ＲＦＩＤリーダ３４へかざされた際に、ＲＦＩＤ２１ｈより近距離無線通信で、ＲＦＩＤリーダ３４へキャッシュアウト可能金額を含むチャージ金額を返信する。
【００６３】
［ステップＳ０６］ＰＯＳ端末３０の制御部３１は、キャッシュアウト処理による決済をする。キャッシュアウト処理とは、スマートフォン２０と、ＰＯＳ端末３０とが近距離無線通信し、キャッシュアウトをする処理である。詳細は後述する。
【００６４】
［ステップＳ０７］ＰＯＳ端末３０の制御部３１は、ＲＦＩＤリーダ３４に、ＲＦＩＤ２１ｈへキャッシュアウト可能金額が更新されたチャージ金額を送信させる。
［ステップＳ０８］スマートフォン２０の制御部２１は、受信したチャージ金額で、保持していたチャージ金額を更新する。
【００６５】
［ステップＳ０９］スマートフォン２０の制御部２１は、ＲＦＩＤ２１ｈに、ＲＦＩＤリーダ３４へチャージ金額の更新完了を送信させる。
［ステップＳ１０］ＰＯＳ端末３０の制御部３１は、キャッシュアウト額から請求額を減算し、お釣りが発生した場合、自動釣銭機３６に、現金を払出させる。また、ＰＯＳ端末３０の制御部３１は、レシートプリンタ３７に、レシートを発行させる。
【００６６】
以上により、事前キャッシュアウトシステム１０のメイン処理が終了する。
次に上記構成を有する事前キャッシュアウトシステム１０で実行されるチャージ処理について、図７〜図９を用いて説明する。図７は、第２の実施の形態の事前キャッシュアウトシステムで実行されるチャージ処理のフローチャートである。図８は、第２の実施の形態のスマートフォンに表示される画面例であり、（Ａ）は、メイン画面であり、（Ｂ）は、チャージ金額入力画面である。図９は、第２の実施の形態のスマートフォンに表示される画面例であり、（Ａ）は、チャージ成功画面であり、（Ｂ）は、チャージ失敗画面である。事前キャッシュアウトシステム１０は、メイン処理のステップＳ０１の状態である。
【００６７】
［ステップＳ１１］スマートフォン２０の制御部２１は、ディスプレイ２２に、図８（Ａ）に示すようなメイン画面８１を表示させる。メイン画面８１は、上部にメイン画面の表示と、チャージボタンと、終了ボタンとを含む。チャージボタンは、押下されることにより、銀行口座よりネットワーク７１を介して、金額をチャージするための画面へ遷移させる。終了ボタンは、押下されることによりチャージ処理を終了させる。
【００６８】
［ステップＳ１２］スマートフォン２０の制御部２１は、チャージボタンが押下されたか否かを判定する。スマートフォン２０の制御部２１は、チャージボタンが押下されたことを判定すると、次の処理は、ステップＳ１３へ進められる。また、スマートフォンの制御部２１は、チャージボタンが押下されないことを判定すると、押下されるまで待ち受ける。
【００６９】
［ステップＳ１３］スマートフォン２０の制御部２１は、ディスプレイ２２に、図８（Ｂ）に示すような、チャージ金額入力画面８２を表示させる。チャージ金額入力画面８２は、チャージ残金額の表示と、顧客ＩＤの入力欄と、暗証番号の入力欄と、チャージ金額の入力欄とを含む。また、チャージ金額入力画面８２は、確定ボタンと終了ボタンとを含む。チャージ残金額の表示は、現在のチャージ金額の合計の金額を表示する。
【００７０】
顧客ＩＤの入力欄は、利用者と銀行との間で契約された所定の認識情報が、タッチパネル２３を用いて入力される欄である。顧客ＩＤの入力欄は、例えば図８（Ｂ）のように「１２３４５６」のように入力される。また、顧客ＩＤは、銀行の口座番号であってもよい。
【００７１】
暗証番号の入力欄は、顧客ＩＤと同様の所定の認識情報が、タッチパネル２３を用いて入力される欄である。暗証番号の入力欄は、他人の目に触れるのが好ましくないため、図８（Ｂ）のように入力後に「＊＊＊＊」のようにマスクされる態様であってもよい。また、暗証番号は、銀行のキャッシュカード用の暗証番号であってもよい。
【００７２】
チャージ金額の入力欄は、チャージを希望する金額が、タッチパネル２３を用いて入力される欄である。
確定ボタンは、押下されることにより、入力された顧客ＩＤ欄と、暗証番号欄と、チャージ金額欄との入力を確定させる。終了ボタンは、押下されることにより、チャージ処理を終了させる。
【００７３】
［ステップＳ１４］スマートフォン２０の制御部２１は、チャージ金額が入力されたか否かを判定する。チャージ金額が入力された場合とは、チャージ金額入力画面８２において、顧客ＩＤ欄と、暗証番号欄と、チャージ金額欄とが入力された後に、確定ボタンが押下された場合を指す。
【００７４】
スマートフォン２０の制御部２１は、チャージ金額が入力されたことを判定すると、次の処理は、ステップＳ１５へ進められる。また、スマートフォン２０の制御部２１は、チャージ金額が入力されなかったことを判定すると、入力されるまで待ち受ける。
【００７５】
［ステップＳ１５］スマートフォン２０の制御部２１は、ネットワーク７１を介して銀行サーバ４０に、顧客ＩＤと、暗証番号と、チャージ金額とを含む口座引出し問合せを送信する。
【００７６】
銀行サーバ４０は、口座引出し問合せを受信すると、顧客ＩＤと暗証番号とが正しいか否かを判定し、正しい場合に顧客ＩＤに対応する銀行口座の預金額の残金が、チャージ金額以上であるか否かを判定するが、今回の発明とは関係が薄い為、詳細は省略する。また、銀行サーバ４０は、最終的にチャージ金額分の出金が可能か否かを判定し、口座引出し問合せ結果をスマートフォン２０へ送信する。なお、銀行サーバ４０は、チャージ金額分の出金が可能であることを判定した場合に、銀行口座からチャージ金額分の出金処理を行う。
【００７７】
［ステップＳ１６］スマートフォン２０の制御部２１は、ネットワーク７１を介して、銀行サーバ４０より口座引出し結果を受信する。
［ステップＳ１７］スマートフォン２０の制御部２１は、口座引出し結果が正常であるか否かを判定する。口座引出し結果が正常である場合とは、顧客ＩＤと暗証番号とが正常に認証され、銀行口座の預金額の残金がチャージ金額以上であった場合である。
【００７８】
スマートフォン２０の制御部２１は、口座引出し結果が正常であることを判定すると、次の処理は、ステップＳ１８へ進められる。スマートフォン２０の制御部２１は、口座引出し結果が正常でないことを判定すると、次の処理は、ステップＳ１９へ進められる。
【００７９】
［ステップＳ１８］スマートフォン２０の制御部２１は、チャージ残金額にチャージ金額を加算して保存する。
［ステップＳ１９］スマートフォン２０の制御部２１は、ディスプレイ２２に、図９（Ｂ）に示すようなチャージ失敗画面８４を表示させる。チャージ失敗画面８４は、「チャージに失敗しました。」の表示と、チャージ残金額の表示と、終了ボタンとを含む。
【００８０】
チャージ残金額の表示は、チャージ処理前のスマートフォン２０が有していたチャージ残金額がそのまま表示される。終了ボタンは、押下されることでチャージ処理を終了させる。
【００８１】
［ステップＳ２０］スマートフォン２０の制御部２１は、ディスプレイ２２に、図９（Ａ）に示すようなチャージ成功画面８３を表示させる。
チャージ成功画面８３は、チャージ金額の表示と、チャージ残金額の表示と、終了ボタンとを含む。チャージ金額の表示は、チャージに成功した金額が表示される。
【００８２】
チャージ残金額は、チャージ前のチャージ残金額に、チャージ金額が加算された金額が表示される。終了ボタンは、押下されることによりチャージ処理を終了させる。
以上により、事前キャッシュアウトシステム１０のチャージ処理が終了する。
【００８３】
次に上記構成を有する事前キャッシュアウトシステム１０で実行されるキャッシュアウト処理について、図１０〜図１２を用いて説明する。図１０は、第２の実施の形態の事前キャッシュアウトシステムで実行されるキャッシュアウト処理のフローチャートである。図１１は、第２の実施の形態のＰＯＳ端末３０に表示される画面例であり、（Ａ）は、キャッシュアウトメニュー画面であり、（Ｂ）は、キャッシュアウト金額入力画面である。図１２は、第２の実施の形態のスマートフォンに表示される画面例であり、（Ａ）は、キャッシュアウト成功画面であり、（Ｂ）は、キャッシュアウト失敗画面である。事前キャッシュアウトシステム１０は、メイン処理のステップＳ０６の状態である。
【００８４】
［ステップＳ２１］ＰＯＳ端末３０の制御部３１は、ディスプレイ３２に、図１１（Ａ）に示すようなキャッシュアウトメニュー画面９１を表示させる。
キャッシュアウトメニュー画面９１は、キャッシュアウトメニュー画面の表示と、全額キャッシュアウトボタンと、一部金額キャッシュアウトボタンと、終了ボタンとを含む。
【００８５】
全額キャッシュアウトボタンは、現在スマートフォン２０にチャージされているキャッシュアウト可能金額の全額をキャッシュアウトする処理へ、処理を進めさせる機能を有する。
【００８６】
一部金額キャッシュアウトボタンは、キーボード３３の操作により押下されることで、現在スマートフォン２０にチャージされているキャッシュアウト可能金額の一部を指定してキャッシュアウトする処理へ、処理を進めさせる機能を有する。
【００８７】
終了ボタンは、押下されることで、キャッシュアウト処理を終了させる。
［ステップＳ２２］ＰＯＳ端末３０の制御部３１は、一部金額キャッシュアウトボタンが押下されたか否かを判定する。ＰＯＳ端末３０の制御部３１は、一部金額キャッシュアウトボタンが押下されたことを判定すると、次の処理は、ステップＳ２４へ進められる。また、ＰＯＳ端末３０の制御部３１は、一部金額キャッシュアウトボタンが押下されなかったことを判定すると、次の処理は、ステップＳ２３へ進められる。
【００８８】
［ステップＳ２３］ＰＯＳ端末３０の制御部３１は、全額キャッシュアウトボタンが押下されたか否かを判定する。ＰＯＳ端末３０の制御部３１は、全額キャッシュアウトボタンが押下されたことを判定すると、次の処理は、ステップＳ２７へ進められる。また、ＰＯＳ端末３０の制御部３１は、全額キャッシュアウトボタンが押下されなかったことを判定すると、次の処理は、ステップＳ２２へ戻る。
【００８９】
［ステップＳ２４］ＰＯＳ端末３０の制御部３１は、ディスプレイ３２に、図１１（Ｂ）に示すようなキャッシュアウト金額入力画面９２を表示させる。
キャッシュアウト金額入力画面９２は、チャージ残金額の表示と、キャッシュアウト金額の入力欄と、確定ボタンと、終了ボタンとを含む。
【００９０】
チャージ残金額の表示は、現在のチャージ残金額の合計を表している。キャッシュアウト金額の入力欄は、キーボード３３からキャッシュアウト金額の入力を受付ける。
確定ボタンは、押下されることにより、入力されたキャッシュアウト金額を確定させる。終了ボタンは、押下されることによりキャッシュアウト処理を終了させる。
【００９１】
［ステップＳ２５］ＰＯＳ端末３０の制御部３１は、キャッシュアウト金額が入力されたか否かを判定する。キャッシュアウト金額が入力された場合とは、キャッシュアウト金額入力画面９２で、キャッシュアウト金額が入力され、確定ボタンが押下された場合である。
【００９２】
ＰＯＳ端末３０の制御部３１は、キャッシュアウト金額が入力されたことを判定すると、次の処理は、ステップＳ２６へ進められる。また、ＰＯＳ端末３０の制御部３１は、キャッシュアウト金額が入力されなかったことを判定すると、入力されるまで待ち受ける。
【００９３】
［ステップＳ２６］ＰＯＳ端末３０の制御部３１は、キャッシュアウト金額がチャージ金額以下か否かを判定する。ここでチャージ金額とは、キャッシュアウト可能金額を含んでおり、以下チャージ金額と呼ぶ。
【００９４】
キャッシュアウト金額がチャージ金額以下である場合とは、メイン処理のステップＳ０５で取得したチャージ残金額と、チャージ処理のステップＳ２５で入力されたキャッシュアウト金額とを比較し、キャッシュアウト金額の方が多いか、両者が同じの場合である。
【００９５】
ＰＯＳ端末３０の制御部３１は、キャッシュアウト金額がチャージ金額以下であることを判定すると、次の処理は、ステップＳ２７へ進められる。また、ＰＯＳ端末３０の制御部３１は、キャッシュアウト金額がチャージ金額以下ではないことを判定すると、次の処理は、ステップＳ３０へ進められる。
【００９６】
［ステップＳ２７］ＰＯＳ端末３０の制御部３１は、キャッシュアウト金額を確定させる。なお、キャッシュアウト可能金額とは、スマートフォン２０にチャージされていた金額であり、キャッシュアウト金額とは、ステップＳ２３で選択されたキャッシュアウト可能金額の全額または、ステップＳ２４で入力を受付けた金額のいずれかである。
【００９７】
［ステップＳ２８］ＰＯＳ端末３０の制御部３１は、請求額がキャッシュアウト金額以下か否かを判定する。請求額がキャッシュアウト金額以下である場合とは、メイン処理のステップＳ０２で取得された請求額と、ステップＳ２７で確定されたキャッシュアウト金額とを比較して、請求額がキャッシュアウト金額より少ないか、同じ場合である。
【００９８】
ＰＯＳ端末３０の制御部３１は、請求額がキャッシュアウト金額以下であることを判定すると、次の処理はステップＳ２９へ進められる。また、ＰＯＳ端末３０の制御部３１は、請求額がキャッシュアウト金額以下でないことを判定すると、次の処理は、ステップＳ３０へ進められる。
【００９９】
［ステップＳ２９］ＰＯＳ端末３０の制御部３１は、チャージ金額からキャッシュアウト金額を減額する。
［ステップＳ３０］ＰＯＳ端末３０の制御部３１は、図１２（Ｂ）に示すようなキャッシュアウト失敗画面９４を表示する。
【０１００】
キャッシュアウト失敗画面９４は、キャッシュアウト失敗画面の表示と、「キャッシュアウトに失敗しました」の表示と、チャージ残金額の表示と、終了ボタンとを含む。
チャージ残金額は、キャッシュアウト処理前のチャージ残金額をそのまま表示している。終了ボタンは、押下されることにより、キャッシュアウト処理を終了させる。ステップＳ３０では、終了ボタンが押下されたこととする。
【０１０１】
［ステップＳ３１］ＰＯＳ端末３０の制御部３１は、図１２（Ａ）に示すようなキャッシュアウト成功画面９３を表示する。キャッシュアウト成功画面９３は、キャッシュアウト成功画面の表示と、キャッシュアウト金額の表示と、チャージ残金額の表示と終了ボタンとを含む。キャッシュアウト金額の表示は、キャッシュアウトに成功した金額が表示される。
【０１０２】
チャージ残金額の表示は、キャッシュアウト後の残金額である。終了ボタンは、押下されることにより、キャッシュアウト処理を終了させる。
以上により、事前キャッシュアウトシステム１０のキャッシュアウト処理が終了する。
【０１０３】
上記事前キャッシュアウトシステム１０では、スマートフォン２０と、ＲＦＩＤリーダ３４を備えるＰＯＳ端末３０と、銀行サーバ４０とを有している。スマートフォン２０と、銀行サーバとの間は、ネットワーク７１で接続されている。スマートフォン２０とＰＯＳ端末３０との間は、ＲＦＩＤリーダ３４による近距離無線通信で接続されている。
【０１０４】
スマートフォン２０は、キャッシュアウトの利用前に事前に、利用者の契約している銀行口座を管理する銀行サーバ４０から、キャッシュアウト可能金額をチャージする。
ＰＯＳ端末３０は、キャッシュアウトによる決済の際に、スマートフォン２０のチャージ金額の中のキャッシュアウト可能金額から請求額を減算し、残額を現金でキャッシュアウトする。
【０１０５】
これにより、事業者側は、例えば電子マネー決済対応のＰＯＳ端末３０を改修することで、低コストでキャッシュアウトによる決済を導入することができるようになる。また、利用者側は、キャッシュアウトの際に、事前にスマートフォン２０でチャージ金額中のキャッシュアウト可能金額をチャージしておくことにより、ＰＯＳ端末３０でキャッシュアウト操作を行う手間を省くことができる。
【０１０６】
このため、キャッシュアウトによる決済を利用しやすくすることができる。
なお、本発明は、以上に述べた実施の形態に限定されるものではなく、本発明の要旨を逸脱しない範囲内で種々の構成又は形状を取ることができる。
【符号の説明】
【０１０７】
１  決済システム
２  携帯端末
２ａ  記憶部
２ａ１  第１のチャージ金額情報
２ｂ  チャージ部
２ｃ  チャージ金額情報送信部
２ｄ  更新チャージ金額情報受信部
３  決済端末
３ａ  請求額取得部
３ｂ  チャージ金額情報問合せ部
３ｃ  現金出金部
３ｄ  更新チャージ金額情報送信部
３ｅ  キャッシュアウト制御部
５ａ  チャージ金額
５ｂ  請求額
５ｃ  現金
１０  事前キャッシュアウトシステム
２０  スマートフォン
２１  制御部
２１ａ  ＣＰＵ
２１ｂ  ＲＡＭ
２１ｃ  メモリカード
２１ｄ  通信インタフェース
２１ｅ  グラフィック制御部
２１ｆ  入出力インタフェース
２１ｇ  バス
２１ｈ  ＲＦＩＤ
２２  ディスプレイ
２３  タッチパネル
３０  ＰＯＳ端末
３１  制御部
３１ａ  ＣＰＵ
３１ｂ  ＲＡＭ
３１ｃ  ＨＤＤ
３１ｄ  通信インタフェース
３１ｅ  グラフィック制御部
３１ｆ  入出力インタフェース
３１ｇ  バス
３２  ディスプレイ
３３  キーボード
３４  ＲＦＩＤリーダ
３５  ドロア
３６  自動釣銭機
３７  レシートプリンタ
４０  銀行サーバ
４１  制御部
４１ａ  ＣＰＵ
４１ｂ  ＲＡＭ
４１ｃ  ＨＤＤ
４１ｄ  通信インタフェース
４１ｅ  グラフィック制御部
４１ｆ  入出力インタフェース
４１ｇ  バス
４２  ディスプレイ
４３  キーボード
７１  ネットワーク
８１  メイン画面
８２  チャージ金額入力画面
８３  チャージ成功画面
８４  チャージ失敗画面
９１  キャッシュアウトメニュー画面
９２  キャッシュアウト金額入力画面
９３  キャッシュアウト成功画面
９４  キャッシュアウト失敗画面
【図１】
2020154539.tif 000003
【図２】
2020154539.tif 000004
【図３】
2020154539.tif 000005
【図４】
2020154539.tif 000006
【図５】
2020154539.tif 000007
【図６】
2020154539.tif 000008
【図７】
2020154539.tif 000009
【図８】
2020154539.tif 000010
【図９】
2020154539.tif 000011
【図１０】
2020154539.tif 000012
【図１１】
2020154539.tif 000013
【図１２】
2020154539.tif 000014